(57)【要約】おもて表紙１０と、裏表紙２０と、おもて表紙１０と裏表紙２０の間に挟まれた台紙３０とを含む御朱印帳において、おもて表紙１０又は裏表紙２０の少なくとも一方を石板４０で構成する。これにより、従来よりも重厚な質感を有する御朱印帳を提供することができる。
2019059233.tif 000002
【特許請求の範囲】
【請求項１】
おもて表紙と裏表紙とを有し、前記おもて表紙又は前記裏表紙の少なくとも一方が石板から成ることを特徴とする装丁物。
【請求項２】
前記石板にくり抜き孔が形成されていることを特徴とする請求項１に記載の装丁物。
【請求項３】
前記くり抜き孔に石以外の素材が嵌め込まれていることを特徴とする請求項２に記載の装丁物。
【請求項４】
前記おもて表紙又は前記裏表紙が、前記石板に石以外の素材から成る板又はシートが貼り合わさったものであることを特徴とする請求項１又は２に記載の装丁物。
【請求項５】
おもて表紙と裏表紙とを有し、前記おもて表紙又は前記裏表紙の少なくとも一方が、石板と、前記石板の周囲を囲繞する、石以外の素材から成る板又は枠とを有することを特徴とする装丁物。
【請求項６】
更に、前記おもて表紙と前記裏表紙の間に挟まれた綴じ込み用紙を有し、
該綴じ込み用紙が、前記おもて表紙及び前記裏表紙に着脱可能であることを特徴とする請求項１〜５のいずれかに記載の装丁物。
【請求項７】
前記おもて表紙及び前記裏表紙に、それぞれ前記綴じ込み用紙の最初の頁及び最終頁を差し込むためのポケットが取り付けられていることを特徴とする請求項６に記載の装丁物。
【請求項８】
前記綴じ込み用紙が屏風状に形成されており、その一端が前記おもて表紙に取り付けられ、他端が前記裏表紙に取り付けられていることを特徴とする請求項６又は７に記載の装丁物。
【請求項９】
前記石板にメモリアルマテリアルが取り付けられていることを特徴とする請求項１〜８のいずれかに記載の装丁物。
【請求項１０】
前記メモリアルマテリアルが、故人の遺骨、遺品、若しくは遺髪、又は死亡したペットの遺骨、遺品、若しくは体毛であることを特徴とする請求項９に記載の装丁物。
【請求項１１】
前記石板に印刷、彫刻、塗装、又は箔押しによる装飾が施されていることを特徴とする請求項１〜１０のいずれかに記載の装丁物。
【請求項１２】
少なくともおもて表紙と裏表紙とを備えた冊子体に取り付けられる冊子体カバーであって、
前記冊子体の前記おもて表紙を覆うおもて表紙被覆部と、
前記冊子体の前記裏表紙を覆う裏表紙被覆部と、
前記おもて表紙被覆部と前記裏表紙被覆部とを連結する連結部と、
を有し、
前記おもて表紙被覆部又は前記裏表紙被覆部の少なくとも一方が石板から成ることを特徴とする冊子体カバー。
【請求項１３】
前記石板にメモリアルマテリアルが取り付けられていることを特徴とする請求項１２に記載の冊子体カバー。
【請求項１４】
前記メモリアルマテリアルが、故人の遺骨、遺品、若しくは遺髪、又は死亡したペットの遺骨、遺品、若しくは体毛であることを特徴とする請求項１３に記載の冊子体カバー。
【請求項１５】
前記石板に印刷、彫刻、塗装、又は箔押しによる装飾が施されていることを特徴とする請求項１２〜１４のいずれかに記載の冊子体カバー。
【発明の詳細な説明】
【技術分野】
【０００１】
本発明は、御朱印帳等の装丁物に関する。また、書籍等の冊子体に取り付けられる冊子体カバーに関する。
【背景技術】
【０００２】
御朱印帳は、神社や寺院において参詣の証に押印される印章（朱印）を纏めておくための帳面であり、屏風状に形成された台紙の両端に硬質の表紙（おもて表紙及び裏表紙）を取り付けた形式のものが一般的である（例えば特許文献１を参照）。
【先行技術文献】
【特許文献】
【０００３】
【特許文献１】実登第3203622号公報
【発明の概要】
【発明が解決しようとする課題】
【０００４】
近年、御朱印集めが脚光を浴びており、これに伴って、表紙に様々なデザインを施した御朱印帳が販売されるようになっている。しかしながら、従来の御朱印帳は、表紙が厚紙（又は厚紙を布でくるんだもの）から成るものが一般的であるため、より重厚な質感のものを求める声があった。【０００５】
なお、こうした課題は御朱印帳に限らず、その他の装丁物にも共通するものである。また、前記課題は、書籍等の冊子体に取り付けられる冊子体カバーにも共通するものである。【０００６】
本発明は上記の点に鑑みて成されたものであり、その目的とするところは、従来よりも重厚な質感を有する御朱印帳などの装丁物及び冊子体カバーを提供することにある。
【課題を解決するための手段】
【０００７】
上記課題を解決するために成された本発明に係る装丁物は、
おもて表紙と裏表紙とを有する装丁物であって、
前記おもて表紙又は前記裏表紙の少なくとも一方が石板から成ることを特徴としている。【０００８】
前記本発明に係る装丁物は、前記石板にくり抜き孔が形成されたものとしてもよい。【０００９】
前記本発明に係る装丁物は、前記くり抜き孔に石以外の素材（例えば、木、ガラス、プラスチック、陶器、又は金属など）を嵌め込んだものとしてもよい。【００１０】
前記本発明に係る装丁物は、前記おもて表紙又は前記裏表紙が、前記石板に石以外の素材から成る板又はシートが貼り合わさったものであってもよい。【００１１】
前記本発明に係る装丁物は、おもて表紙と裏表紙とを有し、前記おもて表紙又は前記裏表紙の少なくとも一方が、石板と、前記石板の周囲を囲繞する板又は枠とを有することを特徴とするものであってもよい。【００１２】
前記本発明に係る装丁物は、更に、前記おもて表紙と前記裏表紙の間に挟まれた綴じ込み用紙を有し、
該綴じ込み用紙が、前記おもて表紙及び前記裏表紙に着脱可能であることが望ましい。【００１３】
前記本発明に係る装丁物は、前記おもて表紙及び前記裏表紙に、それぞれ前記綴じ込み用紙の最初の頁及び最終頁を差し込むためのポケットが取り付けられていることが望ましい。【００１４】
前記本発明に係る装丁物は、前記綴じ込み用紙が屏風状に形成されており、その一端が前記おもて表紙に取り付けられ、他端が前記裏表紙に取り付けられているものとすることが望ましい。【００１５】
また、本発明は、少なくともおもて表紙と裏表紙とを備えた冊子体に取り付けられる冊子体カバーをも提供する。
この冊子体カバーは、
前記冊子体の前記おもて表紙を覆うおもて表紙被覆部と、
前記冊子体の前記裏表紙を覆う裏表紙被覆部と、
前記おもて表紙被覆部と前記裏表紙被覆部とを連結する連結部と、
を有し、
前記おもて表紙被覆部又は前記裏表紙被覆部の少なくとも一方が石板から成ることを特徴としている。【００１６】
前記本発明に係る装丁物又は冊子体カバーは、前記石板にメモリアルマテリアルが取り付けられているものとしてもよい。【００１７】
ここで、メモリアルマテリアルとは、過去の出来事、人物、又はペットの思い出となる品、例えば、故人の遺骨、遺品、若しくは遺髪、又は死亡したペットの遺骨、遺品、若しくは体毛等であり、これらは例えば、樹脂によって封入された状態で前記石板に取り付けられる。【００１８】
前記本発明に係る装丁物又は冊子体カバーは、前記石板に印刷、彫刻、塗装（例えば漆塗り）、又は箔押しによる装飾が施されているものとしてもよい。
【発明の効果】
【００１９】
上記の通り、本発明に係る装丁物は、おもて表紙又は裏表紙の少なくとも一方が石板でできている。また、本発明に係る冊子体カバーは、おもて表紙被覆部又は裏表紙被覆部の少なくとも一方が石板でできている。このため、本発明によれば、従来よりも重厚感のある装丁物及び冊子体カバーを提供することが可能となる。
【図面の簡単な説明】
【００２０】
【図１】本発明の実施形態１に係る御朱印帳を示す斜視図。
【図２】表紙を構成する石板を面取りした例を示す斜視図であって、(a)は平面で面取りをした例であり、(b)は丸面で面取りした例である。
【図３】表紙を構成する石板の周面を曲面とした例を示す斜視図であって、(a)は上下の側面を曲面とした例であり、(b)は全ての側面を曲面とした例である。
【図４】表紙を構成する石板にくり抜き孔を設けた例を示す斜視図であって、(a)は円形のくり抜き孔を設けた例であり、(b)は長方形のくり抜き孔を複数設けた例である。
【図５】表紙を構成する石板に異素材から成る板を貼り合わせた例を示す斜視図であって、(a)は表紙にくり抜き孔を設けない例であり、(b)は表紙にくり抜き孔を設けた例である。
【図６】表紙を構成する石板に異素材から成るパーツを嵌め込んだ例を示す斜視図。
【図７】石板を異素材で囲繞して成る表紙を示す斜視図であって、(a)は異素材から成る板に石板を嵌め込んだ例であり、(b)は異素材から成る額縁に石板を収容した例である。
【図８】本実施形態に係る御朱印帳の作成方法を説明する模式図。
【図９】表紙と台紙とを金具で固定する構成例を示す斜視図。
【図１０】表紙の裏面に台紙の端を差し込むポケットを備えた例を示す斜視図であって、(a)はポケットを表紙に取り付ける工程を示し、(b)はポケットに台紙の端を差し込む工程を示す。
【図１１】前記ポケットの形状の別の例を示す斜視図。
【図１２】本実施形態に係る御朱印帳に彫刻を施すと共にペットの遺骨を保持させた例を示す図であり、(a)はおもて表紙のおもて面を、(b)はおもて表紙の裏面を示している。
【図１３】本発明の実施形態２に係る冊子体カバーの構成を示す分解斜視図。
【図１４】前記冊子体カバーを取り付けた書籍を、該書籍の天（あたま）側から見た状態を示す図。
【図１５】本実施形態に係る冊子体カバーの別の構成例であって、カバーを冊子体に取り付けるための取付ベルトを備えた例を示す平面図。
【図１６】本実施形態に係る冊子体カバーの別の構成例であって、冊子体の表紙を差し込むポケットを備えた例を示す平面図。
【図１７】本実施形態に係る冊子体カバーの別の構成例であって、おもて表紙被覆部と裏表紙被覆部を連結する連結ベルトを備えた例を示す平面図。
【図１８】前記連結ベルトを備えた冊子体カバーの別の構成例を示す平面図。
【図１９】本実施形態に係る冊子体カバーの別の構成例であって、おもて表紙被覆部と裏表紙被覆部を連結する紐を備えた例を示す平面図。
【図２０】本実施形態に係る冊子体カバーに彫刻を施すと共にペットの遺骨を保持させた例を示す図であり、(a)は冊子体カバーのおもて面を、(b)は裏面を示している。
【発明を実施するための形態】
【００２１】
＜実施形態１＞
以下、本発明を実施するための形態について図面を参照しつつ説明する。図１は、本実施形態に係る御朱印帳の全体構成を示す斜視図である。本実施形態に係る御朱印帳は、おもて表紙１０と、裏表紙２０と、台紙３０（本発明における綴じ込み用紙に相当）とを有している。なお、以下では、おもて表紙１０及び裏表紙２０において、台紙３０と対向する側の面を裏面とよび、その逆側の面をおもて面とよぶ。また、おもて表紙１０と裏表紙２０を総称して表紙１０、２０とよぶ場合がある。
【００２２】
おもて表紙１０及び裏表紙２０は、石材を薄い板状にカットしたもの（すなわち石板４０）を素材としている。石材としては、大理石、花崗岩（御影石など）、安山岩、石灰岩など様々な種類のものを使用することができる。おもて表紙１０及び裏表紙２０の寸法は、一般的な御朱印帳と同じ、横11 cm×縦16 cm、又は横12 cm×縦18 cmとすることが望ましいが、これに限定されるものではない。また、おもて表紙１０及び裏表紙２０の厚さは、薄すぎると石板４０に反りが生じ、厚すぎると重量が大きくなるため、4.5 mm〜6 mmとすることが望ましい。
【００２３】
おもて表紙又は裏表紙を構成する石板４０の形状は、図１に示すような薄い直方体でもよいが、手に取ったときの感触をよくするため、図２のように面取りを施すことが望ましい。なお、図２(a)、(b)では、石板４０の角を平（ひら）面又は丸面で面取りした例を示したが、面取りの種類はこれに限らず、例えば、段丸面、銀杏面などとしてもよい。また、図３に示すように石板４０の側面を曲面としてもよい。なお、図３(a)、(b)では石板４０の上下の側面又は全ての側面を曲面とした例を示したが、これに限らず、例えば、石板４０のいずれか一つの側面のみを曲面としてもよい。
【００２４】
おもて表紙１０及び裏表紙２０に用いる石板４０は、石材から切り出した後、研磨仕上げ（例えば、本磨き又は水磨き等）、粗面仕上げ（例えば、ジェットバーナー仕上げ等）、又は叩き仕上げ（例えば、小叩き仕上げ又はビシャン仕上げ等）などの表面処理を施したものであることが望ましいが、こうした表面処理を施さないものであってもよい。
【００２５】
また、軽量化及び装飾のため、石板４０には、くり抜き孔４１を設けることが望ましい（図４を参照）。くり抜き孔４１は円形、楕円形、多角形など、様々な形状とすることができ、その数も一つに限らず複数とすることもできる。図４(a)には、石板４０に円形のくり抜き孔４１を一つ設けた例を示し、図４(b)には、石板４０に長方形のくり抜き孔４１を複数個設けて格子状の模様を形成した例を示す。
【００２６】
また、石板４０のおもて面、裏面、又は側面に、彫刻によって文字や図柄（例えば、家紋、花、又は龍など）を形成してもよい。このとき、おもて表紙１０と裏表紙２０に、２枚合わせて一つの絵になるような図柄を彫刻してもよい。あるいは、おもて表紙１０又は裏表紙２０を構成する石板４０の裏面に彫刻を施し、該裏面に台紙３０の最初の頁又は最後の頁を取り付けた後にそれらの頁を擦ることによって該頁に彫刻の図柄が浮かび上がるようにしてもよい。石板４０に、一つ又は複数のくり抜き孔を設けた上で残りの部分に彫刻を行う、いわゆる透かし彫りを施してもよい。石板４０への彫刻には、手彫りのほか、例えばレーザ加工やサンドブラスト加工などの技法を用いることができる。
【００２７】
更に、石板４０には、上記のような彫刻に加えて又は代えて、漆塗り等の塗装を施したり、印刷（例えばインクジェット印刷等）を施したり、金属箔（金箔、銀箔、黒箔、プラチナ箔等）による箔押しを施したりしてもよい。
【００２８】
また、例えば、石板４０のおもて面に、彫刻、印刷、漆塗り、箔押し等（以下「彫刻等」と総称する）によって図柄を施し、石板４０の裏面には、前記図柄に関する説明を彫刻等によって記載するようにしてもよい。具体的には、例えば、石板４０のおもて面に仏像の図柄をあしらい、裏面に該仏像の来歴等を記載することが考えられる。
【００２９】
本実施形態において、おもて表紙１０及び裏表紙２０は、上記のような石板４０に、石以外の素材（以下、異素材とよぶ）から成る板又はシートが貼り合わさったものとすることもできる。この場合、前記異素材としては  例えば、木、プラスチック、金属、ガラス、陶器、紙、布などを用いることができる。図５(a)に、異素材から成る板である異素材板５０を、石板４０の裏面に貼り付けた例を示す。このようにすることで表紙１０、２０の強度を増すことができる。更に、図５(b)のように、石板４０にくり抜き孔４１を設けておくことにより、くり抜き孔４１から異素材が覗くことによる装飾効果を得ることもできる。この場合、異素材板５０として模様や図柄を有するもの、例えば、西陣織などの織物でくるんだ厚紙などを使用し、くり抜き孔４１から見える位置に該図柄を配置することが望ましい。
【００３０】
また、本実施形態に係る御朱印帳は、おもて表紙１０又は裏表紙２０を構成する石板４０に、異素材から成るパーツ５１が嵌め込まれたものとすることができる（図６）。ここで、パーツ５１としては、例えば、彫刻を施した木材やステンドグラスなどを用いることができる。この場合も、パーツ５１を構成する素材として石板４０の素材よりも比重が小さいものを用いれば、おもて表紙又は裏表紙全体を石材で構成する場合に比べて軽量化を達成することができる。また、表紙１０、２０を構成する石板４０のおもて面に凹部を設け、そこに異素材から成るパーツを嵌め込んだ構成としてもよい。
【００３１】
また、本実施形態におけるおもて表紙１０又は裏表紙２０は、石板４０の周囲を、石以外の素材から成る板又は枠で囲繞したものとしてもよい。このような構成としては、例えば、図７(a)に示すように、異素材板５０に、くり抜き孔５３（又は凹部）を設けて、そこに石板４０を嵌め込んだ構成や、図７(b)に示すように、異素材（例えば木材やアクリル）から成り、外枠５４ａと裏板（図示略）とを有する額縁状の枠５４に、石板４０を保持させた構成などが考えられる。
【００３２】
台紙３０としては、一般的な御朱印帳に用いられる屏風状の和紙を使用することができる。このような台紙は、二つ折りした複数枚の和紙（奉書紙）を、その折り山が左右交互に位置するように重ね合わせ、隣接する紙の対向面同士を糊付けすることによって形成される。但し、これに限定されるものではなく、台紙３０として、例えば一枚の長い紙を屏風状に折り畳んだものを使用することもできる。
【００３３】
本実施形態に係る御朱印帳は、図８に示すように、台紙３０の最初の頁と最後の頁を、それぞれおもて表紙１０と裏表紙２０の裏面に取り付けることによって作成される。
【００３４】
このとき、台紙３０は、糊付けなどによって表紙１０、２０に固定してもよいが、着脱自在な手段によって表紙１０、２０に取り付けることが望ましい。これにより、台紙３０の全ての頁に御朱印が押された後は、台紙３０のみを新たなものに交換することが可能となる。台紙３０を表紙１０、２０に着脱自在に取り付ける手段としては、例えば、貼って剥がせるタイプの両面テープで接着する方法や、図９に示すようなクリップ状の金具６０で台紙３０の最初の頁又は最後の頁と表紙１０、２０とを挟んで固定する方法などが考えられる。また、石板４０の隅に小穴を開け、ハトメ状の金具で石板４０と台紙３０とを挟み込んで固定するようにしてもよい。あるいは、図１０(a)、(b)に示すように、おもて表紙１０及び裏表紙２０の裏面に、シート材から成るポケット６１を取り付け、そこに台紙３０の最初の頁又は最後の頁を差し込むようにしてもよい。なお、ポケット６１を構成するシート材としては、プラスチック、金属、紙、又は布等から成るものを使用することができる。ポケット６１は、例えば長方形の２枚のシート材を重ね合わせて互いの３辺を接合したものとすることができ、前記２枚のシート材のうち、表紙１０、２０に貼り付けられる側のシート材の寸法を、表紙１０、２０の縦横の寸法と同一又は僅かに小さくし、その全面に接着剤などを塗布して表紙１０、２０の裏面に貼り付けることにより、表紙１０、２０の強度を増すことができる。なお、図１１に示すように、前記２枚のシート材（図中の６１ａ及び６１ｂ）の両方を、表紙１０、２０の縦横の寸法とほぼ同一としてもよい。これにより、表紙１０、２０に台紙３０をより安定して取り付けることができる。
【００３５】
また、本実施形態に係る御朱印帳には、ペットの遺骨（本発明における「メモリアルマテリアル」に相当）を保持させるようにしてもよい。このような御朱印帳の構成例を図１２に示す。この御朱印帳は、おもて表紙１０のおもて面１０ａにペットの姿（又はペットの名前）を表した彫刻６４が施され（図１２（ａ））、おもて表紙１０の裏面１０ｂに樹脂６３に封入されたペットの遺骨６２が取り付けられている（図１２（ｂ））。これにより、遺骨６２を御朱印帳と共に持ち運ぶことができ、場所を問わず、死んだペットを身近に偲ぶことができる。また、遺骨６２を保持した石板４０を御朱印帳から取り外してスタンド等に載置することによって、簡易的な祭壇とすることができる。おもて表紙１０を構成する石板４０に遺骨６２を保持させる際には、まず、裏面１０ｂを上に向けて適当な台の上に寝かせた石板４０の上に、粉末状又は粒状にした遺骨６２を少量乗せ、その上に溶融状態の樹脂６３を滴下して硬化させる。これにより、遺骨６２を樹脂６３中に封入すると共に、樹脂６３を石板４０に固着させることができる。なお、ペットの遺骨６２は、御朱印帳の裏表紙２０に保持させてもよい。また、おもて表紙１０の裏面と裏表紙２０の裏面に互いに異なるペットの遺骨６２を保持させるようにしてもよい。この場合、おもて表紙１０のおもて面と裏表紙２０のおもて面には、各表紙１０又は２０に保持させた遺骨６２に対応するペットの姿又は名前を表した彫刻等を施すことが望ましい。また、ペットの遺骨６２に代えて又は加えて、死亡したペットの体毛又は該ペットの遺品等の任意のメモリアルマテリアルを石板４０に保持させるようにしてもよい。
【００３６】
また、おもて表紙１０又は裏表紙２０には、故人の遺骨、遺髪、又は遺品を保持させるようにしてもよい。
【００３７】
なお、ここでは台紙３０を屏風状のものとしたが、これに限らず、例えば、複数枚の紙を重ねて綴じたものなどとすることもできる。また、本発明に係る装丁物は、上記のような御朱印帳に限定されるものではなく、例えば、ノート、メモ帳、アルバムなどの帳面、本、ファイルなどとすることもできる。
【００３８】
また、上記の例では、おもて表紙１０と裏表紙２０の両方を石板４０から成るものとしたが、これに限らず、おもて表紙１０と裏表紙２０の一方のみを石板４０から成るものとし、他方をその他の素材、例えば木材や金属の板、プラスチック板、厚紙、又は御簾（細い竹、葦、籐などを隙間を空けて編んだもの）から成るものとしてもよい。これにより、おもて表紙１０と裏表紙２０の両方を石板４０から成るものとする場合に比べて軽量化を図ることができる。また更に、本発明に係る装丁物は、石板４０から成る表紙に加えて、木の板から成る表紙や金属板から成る表紙など、複数種類の表紙を用意しておき、参詣する寺社仏閣やその日の気分などに応じて台紙に取り付ける表紙を交換できるようにしてもよい。また、本発明に係る装丁物は、おもて表紙１０と裏表紙２０を石以外の素材（例えば薄い木材や金属の板、プラスチック板、紙、又は御簾等）から成るカバーで覆ったり、装丁物全体を石以外の素材から成るケースに収容したりしてもよい。
【００３９】
＜実施形態２＞
続いて、本発明の別の実施形態に係る冊子体カバーについて説明する。図１３は本実施形態に係る冊子体カバーの分解斜視図であり、図１４は同冊子体カバーを冊子体９０に取り付けた状態を示す図である。
【００４０】
この冊子体カバーは、おもて表紙９１、裏表紙９２、及び背表紙９３を有する書籍（例えば聖書）などの冊子体９０に取り付けられるものであって、おもて表紙被覆部７１と、裏表紙被覆部７２と、背表紙被覆部７３とを備えている。これらのおもて表紙被覆部７１、裏表紙被覆部７２、及び背表紙被覆部７３は、それぞれ石板７０で構成されている。この冊子体カバーは、その裏面（冊子体９０と対向する側の面）全体に、一枚のシート材から成る連結シート７４が貼り付けられている。この連結シート７４によって、おもて表紙被覆部７１と背表紙被覆部７３とが互いの境界部を中心として回動自在に連結され、更に、裏表紙被覆部７２と背表紙被覆部７３とが互いの境界部を中心として回動自在に連結されている。すなわち、ここでは背表紙被覆部７３及び連結シート７４が本発明における「連結部」に相当する。連結シート７４を構成するシート材としては、例えば、布、紙、革、プラスチックシート等を用いることができる。この冊子体カバーは、接着剤、粘着剤、又は両面テープ等によって冊子体９０のおもて表紙９１、裏表紙９２、及び背表紙９３に貼り付けて使用される。
【００４１】
また、本実施形態に係る冊子体カバーは、冊子体９０に対して着脱自在に取り付けるためのベルトを備えたものとすることもできる。このようなベルトを備えた構成例を図１５に示す。前記ベルトは、おもて表紙被覆部７１の上辺に取り付けられた表側上部ベルト７５ａと、おもて表紙被覆部７１の下辺に取り付けられた表側下部ベルト７５ｂと、裏表紙被覆部７２の上辺に取り付けられた裏側上部ベルト７５ｃと、裏表紙被覆部７２の下辺に取り付けられた裏側下部ベルト７５ｄから成る（以下、これらを「取付ベルト７５」と総称する）。これらの取付ベルト７５の先端にはそれぞれ面ファスナー７６ａ〜７６ｄが取り付けられている。この冊子体カバーを冊子体９０に取り付ける際には、まず、冊子体カバーのおもて表紙被覆部７１の裏面に冊子体９０のおもて表紙９１を重ね、表側上部ベルト７５ａを下方に折り返すと共に表側下部ベルト７５ｂを上方に折り返して両者を互いに面ファスナー７６ａ、７６ｂで固定する。同様に、冊子体カバーの裏表紙被覆部７２の裏面に冊子体９０の裏表紙９２を重ね、裏側上部ベルト７５ｃを下方に折り返すと共に裏側下部ベルト７５ｄを上方に折り返して両者を互いに面ファスナー７６ｃ、７６ｄで固定する。なお、取付ベルト７５同士を互いに固定するための手段としては、上記の面ファスナー７６ａ〜７６ｄに限らず、スナップボタン、小型のフック、磁石などのいかなる留め具を用いてもよい。
【００４２】
また、本実施形態に係る冊子体カバーは、上記のような取付ベルト７５に加えて又は代えて、おもて表紙被覆部７１及び裏表紙被覆部７２の裏面に、それぞれ冊子体９０のおもて表紙９１及び裏表紙９２が差し入れられるポケット７７を備えたものとすることもできる。このようなポケット７７を備えた構成例を図１６に示す。なお、同図の例では、図１３〜図１５の例のように冊子体カバーの裏面全体に連結シート７４を貼り付ける代わりに、おもて表紙被覆部７１と背表紙被覆部７３との境界部、及び裏表紙被覆部７２と背表紙被覆部７３との境界部に、テープ状の連結シート７８が貼り付けられており、これによって、おもて表紙被覆部７１と裏表紙被覆部７２がそれぞれ背表紙被覆部７３に連結されている。
【００４３】
あるいは、本実施形態に係る冊子体カバーを冊子体９０に被せた上で、冊子体９０のおもて表紙９１と冊子体カバーのおもて表紙被覆部７１、及び冊子体９０の裏表紙９２と冊子体カバーの裏表紙被覆部７２とを、例えば、図９で示したようなクリップ状の金具６０で挟んで固定するようにしてもよい。
【００４４】
本実施形態の冊子体カバーは、書籍以外の冊子体、例えば、ノート、メモ帳、若しくはアルバム等の帳面、又はファイルなどに取り付けるものとしてもよい。なお、ノートのように背表紙を有しない冊子体９０に取り付ける場合には、本実施形態の冊子体カバーは背表紙被覆部７３を有しないものとする。その場合、本実施形態の冊子体カバーは、互いに隣接して配置したおもて表紙被覆部７１と裏表紙被覆部７２を、図１３に示したような、冊子体カバーの裏面全体を覆う一枚の連結シート７４、又は図１６に示したようなテープ状の連結シート７８で連結することによって構成される。この場合、連結シート７４又は７８が本発明における「連結部」に相当する。
【００４５】
また、本実施形態に係る冊子体カバーは、取り付ける冊子体９０の厚さに応じてサイズを調節する機構を備えたものとしてもよい。このような構成例を図１７に示す。この冊子体カバーは、背表紙被覆部７３を有さず、代わりに、おもて表紙被覆部７１と裏表紙被覆部７２とを連結する連結ベルト８１を備えている。連結ベルト８１は布、革、紙、又はプラスチックから成るシート材で構成され、おもて表紙被覆部７１の一辺に固定されている。連結ベルト８１には一つのスナップボタン８２が取り付けられ、裏表紙被覆部７２の裏面には、連結ベルト８１と対応する位置に、前記一つのスナップボタン８２と係合可能な複数のスナップボタン８３が所定間隔で取り付けられている。なお、ここでは、連結ベルト８１及びスナップボタン８２、８３が本発明における「連結部」に相当する。このような構成によれば、前記一つのスナップボタン８２を前記複数のスナップボタン８３のいずれと係合させるかによって、おもて表紙被覆部７１と裏表紙被覆部７２の間隔を変化させることができ、これにより、種々の厚さの冊子体９０に対応することができる。なお、上記構成に限らず、例えば、裏表紙被覆部７２の裏面に一つのスナップボタンを設け、該一つのスナップボタンと係合する複数のスナップボタンを連結ベルト８１に設けるようにしてもよい。また、連結ベルト８１をおもて表紙被覆部７１でなく裏表紙被覆部７２に設けてもよい。
【００４６】
あるいは、図１８に示すように、おもて表紙被覆部７１の一辺と、裏表紙被覆部７２の一辺にそれぞれ連結ベルト８１、８４を設け、おもて表紙被覆部７１の連結ベルト８１に設けられた一つのスナップボタン８２を、裏表紙被覆部７２の連結ベルト８４に設けられた複数のスナップボタン８３のいずれかと係合させることによって、おもて表紙被覆部７１と裏表紙被覆部７２の間隔を変更可能な構成とすることもできる。なお、図１８とは逆に、おもて表紙被覆部７１の連結ベルト８１に複数のスナップボタン８３を設け、裏表紙被覆部７２の連結ベルト８４に一つのスナップボタン８２を設けるようにしてもよい。また、スナップボタン８２、８３に代えて、面ファスナー、ホック、磁石等の留め具を用いてもよい。
【００４７】
また、上記のような連結ベルトに代えて、図１９に示すように、おもて表紙被覆部７１の一辺に取り付けられた紐８５と、裏表紙被覆部７２の一辺に取り付けられた紐８６とを結び合わせることによって、おもて表紙被覆部７１と裏表紙被覆部７２を連結する構成としてもよい。この場合、紐８５、８６が本発明における「連結部」に相当する。このような構成によれば、これらの紐８５、８６によっておもて表紙被覆部７１と裏表紙被覆部７２の間隔を調節することができ、これよって種々の厚さの冊子体９０に対応することができる。
【００４８】
なお、図２０に示すように、本実施形態に係る冊子体カバーにも、上記実施形態１に係る装丁物と同様に、ペットの遺骨６２（又はその他のメモリアルマテリアル）を保持させたり、ペットの姿（又は名前）を表した彫刻等７９を施したりすることができる。なお、同図の例では、おもて表紙被覆部７１のおもて面に彫刻等７９を施し（図２０（ａ））、おもて表紙被覆部７１の裏面に遺骨６２を保持させている（図２０（ｂ））が、裏表紙被覆部７２又は背表紙被覆部７３に彫刻等７９を施したり、遺骨６２（又はその他のメモリアルマテリアル）を保持させたりしてもよい。また、おもて表紙被覆部７１の裏面と裏表紙被覆部７２の裏面に互いに異なるペットの遺骨６２を保持させるようにしてもよい。この場合、おもて表紙被覆部７１のおもて面と裏表紙被覆部７２のおもて面には、各被覆部７１又は７２に保持させた遺骨６２に対応するペットの姿又は名前を表した彫刻等を施すことが望ましい。
【符号の説明】
【００４９】
１０…おもて表紙
２０…裏表紙
３０…台紙
４０…石板
４１、５３…くり抜き孔
５０…異素材板
５１…異素材から成るパーツ
５４…枠
６０…金具
６１…ポケット
６２…遺骨
６３…樹脂
６４…彫刻等
７０…石板
７１…おもて表紙被覆部
７２…裏表紙被覆部
７３…背表紙被覆部
７４、７８…連結シート
７５、７５ａ〜７５ｄ…取付ベルト
７６ａ〜７６ｄ…面ファスナー
７７…ポケット
７９…彫刻等
８１、８４…連結ベルト
８２、８３…スナップボタン
８５、８６…紐
９０…冊子体
９１…おもて表紙
９２…裏表紙
９３…背表紙
【図１】
2019059233.tif 000003
【図２】
2019059233.tif 000004
【図３】
2019059233.tif 000005
【図４】
2019059233.tif 000006
【図５】
2019059233.tif 000007
【図６】
2019059233.tif 000008
【図７】
2019059233.tif 000009
【図８】
2019059233.tif 000010
【図９】
2019059233.tif 000011
【図１０】
2019059233.tif 000012
【図１１】
2019059233.tif 000013
【図１２】
2019059233.tif 000014
【図１３】
2019059233.tif 000015
【図１４】
2019059233.tif 000016
【図１５】
2019059233.tif 000017
【図１６】
2019059233.tif 000018
【図１７】
2019059233.tif 000019
【図１８】
2019059233.tif 000020
【図１９】
2019059233.tif 000021
【図２０】
2019059233.tif 000022
【国際調査報告】
2019059233.tif 000023
2019059233.tif 000024
2019059233.tif 000025
2019059233.tif 000026